(57)【特許請求の範囲】
【請求項１】
劇場の奈落および舞台を昇降する迫り出し装置において、迫りの下面にその縁部をストレートに延びるトンネルを設け、このトンネルを通して互いに向き合う光電スイッチの発光部と受光部をそれぞれステイ部材を介して迫りに配設してなり、前記のトンネルは、迫りの下面縁部から断面Ｕ字形に垂れるゴムなど柔軟な遮光シートによって形成し、迫りの下面にその縁部をストレートに延びる矩形断面のパイプ材を配設し、その両サイドに柔軟な遮光シートの両側縁を接着してパイプ部材を挟んで断面Ｕ字形に垂れるシート部分で前記のトンネルを形成し、迫りの縁部に沿うパイプ材の中央付近にその下面を開口する反射防止穴を設けたことを特徴とする劇場の迫り出し装置。
【請求項２】
劇場の奈落および舞台を昇降する迫り出し装置において、迫りの下面にその縁部をストレートに延びるトンネルを設け、このトンネルを通して互いに向き合う光電スイッチの発光部と受光部をそれぞれステイ部材を介して迫りに配設してなり、前記のトンネルは、迫りの下面縁部から断面Ｕ字形に垂れるゴムなど柔軟な遮光シートによって形成し、迫りの下面にその縁部をストレートに延びる矩形断面のパイプ材を配設し、その両サイドに柔軟な遮光シートの両側縁を接着してパイプ部材を挟んで断面Ｕ字形に垂れるシート部分で前記のトンネルを形成し、迫りの縁部に沿うパイプ材の中央付近にその下面からゴムなど柔軟な遮光シートでトンネル断面の一部分を遮断するように垂れる反射阻止板を形成したことを特徴とする劇場の迫り出し装置。
【請求項３】
光電スイッチの発光部および受光部のステイ部材として、迫りの移動方向へ弾性変形の容易な板バネを設けたことを特徴とする請求項１または２に記載の迫り出し装置。
【発明の詳細な説明】
【０００１】
【発明の属する技術分野】
この発明は劇場の迫り出し装置の改良に関する。
【０００２】
【従来の技術】
劇場の奈落および舞台を昇降する迫り出し装置においては、舞台の固定床との間および隣りの迫りとの間で物がはみ出している場合、迫りが降下する際に物を挟み込むのを防止するため、図４のような対策手段を備えるものが知られている。
【０００３】
迫り１にその縁部下方を略水平に延びる安全バー２が所定長さのワイヤ３で吊り下げられ、迫り１との間で安全バー２を上下方向へ平行移動可能に支持するリンク機構４が設けられる。安全バー２が迫り１側へ所定値以上に接近すると、これに伴うリンク機能４の動きで押されてオンするリミットスイッチ５が迫り１に配置され、このスイッチ５がオンすると迫り１の降下が停止するようになっている。６は舞台の固定床、７は隣りの迫りを表す。
【０００４】
【発明が解決しようとする課題】
ところが、安全バー２はリンク機構４の連結機能を備えるので、必要な剛性確保の面から、金属やそれに類する材質で作られる。そのため、迫り１の縁部を延びる安全バー１本あたりが相当に重くなり、その降下速度によっては迫り１側へはみ出す物８に過大な衝撃を与えかねないという不具合があった。
【０００５】
この発明はこのような問題点に着目してなされたもので、物への当たりがやさしく安全性の高い挟込み防止手段の提供を目的とする。
【０００６】
【課題を解決するための手段】
第１の発明では、劇場の奈落および舞台を昇降する迫り出し装置において、迫りの下面にその縁部をストレートに延びるトンネルを設け、このトンネルを通して互いに向き合う光電スイッチの発光部と受光部をそれぞれステイ部材を介して迫りに配設してなり、前記のトンネルは、迫りの下面縁部から断面Ｕ字形に垂れるゴムなど柔軟な遮光シートによって形成し、迫りの下面にその縁部をストレートに延びる矩形断面のパイプ材を配設し、その両サイドに柔軟な遮光シートの両側縁を接着してパイプ部材を挟んで断面Ｕ字形に垂れるシート部分で前記のトンネルを形成し、迫りの縁部に沿うパイプ材の中央付近にその下面を開口する反射防止穴を設ける。
第２の発明では、劇場の奈落および舞台を昇降する迫り出し装置において、迫りの下面にその縁部をストレートに延びるトンネルを設け、このトンネルを通して互いに向き合う光電スイッチの発光部と受光部をそれぞれステイ部材を介して迫りに配設してなり、前記のトンネルは、迫りの下面縁部から断面Ｕ字形に垂れるゴムなど柔軟な遮光シートによって形成し、迫りの下面にその縁部をストレートに延びる矩形断面のパイプ材を配設し、その両サイドに柔軟な遮光シートの両側縁を接着してパイプ部材を挟んで断面Ｕ字形に垂れるシート部分で前記のトンネルを形成し、迫りの縁部に沿うパイプ材の中央付近にその下面からゴムなど柔軟な遮光シートでトンネル断面の一部分を遮断するように垂れる反射阻止板を形成する。
【０００７】
第３の発明では、第１または第２の発明における光電スイッチの発光部および受光部のステイ部材として、迫りの移動方向へ弾性変形の容易な板バネを設ける。
【００１０】
【作用】
第１、２の発明によれば、迫りの降下に際して、舞台の固定床や隣りの迫りから物がはみ出し、物に柔軟な遮光シートが触れると、トンネルは物に押されて潰れるような変形を受ける。その潰れ部分が発光部から受光部への光りを遮ると、光電スイッチがオフに切り替わる。したがって、迫りを昇降する駆動装置の電源回路に光電スイッチを介装すると、スイッチのオフで迫りの駆動装置が停止するため、物の挟込みを有効に防止することが可能になる。この場合、物に触れる部分が柔軟な遮光シートのため、迫りの降下に伴う物への当たりがやさしく高い安全性を確保できる。
【００１１】
第３の発明によれば、迫りの降下に伴って光電スイッチの発光部または受光部に物が当たると、板バネが弾性変形してこれらの位置関係のずれで光電スイッチの受光が遮断され、スイッチのオフで迫りの駆動装置が停止するため、発光部や受光部に拠る物の挟込みも防止可能になる。
【００１２】
第１の発明によれば、矩形断面のパイプ材を取付部として、その両サイドに柔軟な遮光シートの両側縁を接着することにより、断面Ｕ字形に垂れる遮光シートとパイプ部材の下面でトンネルを簡単に形成できる。光りはある程度拡散するので、光電スイッチの発光部と受光部の中間付近でよく反射する。そのため、光電スイッチの近くでは遮光シートの少ない変形量で光りを遮断できるが、発光部と受光部の中間付近では変形量が大きくないと光りを遮断できない。この対策として反射防止穴を備えるので、光りはパイプ部材の内部に吸収され、発光部と受光部の中間付近で反射しないため、遮光シートの変形位置に拘わらず、光電スイッチの感度を一定に確保できる。
【００１３】
第２の発明によれば、反射阻止板が発光部から拡散してパイプ部材て反射する光りを遮断するため、反射光が受光部へ入るのを防止できる。そのため、第３の発明と同じく、遮光シートの変形位置に拘わらず、光電スイッチの感度を一定に確保できる。反射阻止板はゴムなど柔軟な遮光シートで作られるので、物への当たりのやさしさを良好に保てる。
【００１４】
【発明の実施の形態】
図１，図２において、１０は劇場の奈落および舞台を昇降する迫りで、その縁部下面に後述するゴムシート１１の取付面を形成する矩形断面のスチールパイプ１２が取り付けられる。スチールパイプ１２の両サイドにゴムシート１１の両側縁を所定間隔にビス止めすることにより、スチールパイプ１２を挟んで断面Ｕ字形に垂れるゴムシート１１で迫り１０の縁部をストレートに延びるトンネル１３が形成される。シート１１は柔軟な遮光シートであれば、ゴム以外の材質で形成するようにしても良い。
【００１５】
トンネル１３を通して互いに向き合う発光部１４ａと受光部１４ｂが設けられ、これらの間で光電スイッチ１４を構成する。光電スイッチ１４の感度を高めるため、発光部１４ａおよび受光部１４ｂは迫り１にステイパイプ１２の両端からそれぞれゴムシート１１の断面Ｕ字形の湾曲部（最下部）付近へ延びるステイ１５を介して取り付けられる。ステイ１５は発光部１４ａおよび受光部１４ｂに拠る物の挟込みを検知するため、迫り１０の移動方向へ弾性変形の容易な板バネで形成される。
【００１６】
迫り１０の縁部に沿うスチールパイプ１２の中央付近（発光部１４ａからの光りを受光部１４ｂへ反射しやすい領域）にその下面を開口することにより、発光部１４ａからの光りを矩形断面のパイプ１２内部に吸収する反射防止穴１６が設けられる。図示しないが、迫り１０を昇降する駆動装置の電源回路に光電スイッチ１４は介装され、受光部１４ｂへの光りが遮断されるとオフに切り替わり、迫り１０の駆動装置をその位置で停止するようになっている。１７は光電スイッチ１４間の光軸を表す。
【００１７】
このような構成により、迫り１０の降下に際して、舞台の固定床や隣りの迫りから物がはみ出し、迫り１０のゴムシート１１に触れると、トンネル１３は物に押されて潰れるような変形を受ける。その潰れ部分が発光部１４ａから受光部１４ｂへの光りを遮ると、光電スイッチ１４はオフする。したがって、スイッチ１４のオフで迫り１０の駆動装置が停止するので、迫り１０に拠る物の挟込みを有効に防止することが可能になる。
【００１８】
迫り１０側の物に触れる部分はゴムシート１１のため、物への当たりがやさしく高い安全性を確保できる。光電スイッチ１４の発光部１４ａまたは受光部１４ｂに物が当たっても、板バネの弾性変形で緩衝されるほか、これらの位置関係のずれで受光部１４ｂへの光りが遮断されるため、発光部１４ａや受光部１４ｂに拠る物の挟込みもやさしく防止できる。
【００１９】
構造的にも矩形断面のスチールパイプ１２を取付部として、その両サイドにゴムシート１１の両側縁を接着することにより、スチールパイプ１２を挟んで断面Ｕ字形に垂れるシート１１でトンネル１３を簡単かつ容易に形成できる。光りはある程度拡散するので、光電スイッチ１４の発光部１４ａと受光部１４ｂの中間付近でスチールパイプ１２が光りをよく反射するようになるが、この例では反射防止穴１６を備えるため、光りはパイプ１２部材の内部に吸収され、発光部１４ａと受光部１４ｂの中間付近で反射しないため、ゴムシート１１の変形位置に拘わらず、光電スイッチ１４の感度を一定に確保できる。
【００２０】
図３は受光部１４ａへの反射光を阻止する実施形態を表すもので、迫り１０の縁部に沿うスチールパイプ１２の中央付近にその下面からトンネル断面の一部分を遮断するように垂れる反射阻止板１８が設けられる。反射阻止板１８は物への当たりのやさしさを良好に保つため、トンネル１３の形成材質と同じくゴムシートで形成される。これによると、反射阻止板１８が発光部１４ａから拡散してスチールパイプ１２で反射する光りが遮断されるため、前記の実施形態と同じく、ゴムシート１１の変形位置に拘わらず、光電スイッチ１４の感度を一定に確保できる。
【００２１】
【発明の効果】
第１、２の発明によれば、劇場の奈落および舞台を昇降する迫り出し装置において、迫りの下面にその縁部をストレートに延びるトンネルを設け、このトンネルを通して互いに向き合う光電スイッチの発光部と受光部をそれぞれステイ部材を介して迫りに配設してなり、前記のトンネルは、迫りの下面縁部から断面Ｕ字形に垂れるゴムなど柔軟な遮光シートによって形成したので、遮光シートの変形で光電スイッチの光りが遮断されると、スイッチのオフで迫りを停止して物の挟込みを防止可能となる。また、物に触れる部分が柔軟な遮光シートのため、物への当たりがやさしく高い安全性を確保できる。物への当たりがやさしく高い安全性を確保できる。
【００２２】
第３の発明によれば、第１、２の発明における光電スイッチの発光部および受光部のステイ部材として、迫りの移動方向へ弾性変形の容易な板バネを設けたので、迫りの降下に伴って光電スイッチの発光部または受光部に物が当たると、板バネが変形してこれらの位置関係のずれで光電スイッチの受光が遮断されるため、発光部や受光部に拠る物の挟込みも防止可能になる。
【００２３】
第１の発明によれば、迫りの下面にその縁部をストレートに延びる矩形断面のパイプ材を配設し、その両サイドに柔軟な遮光シートの両側縁を接着してパイプ部材を挟んで断面Ｕ字形に垂れるシート部分でトンネルを形成し、迫りの縁部に沿うパイプ材の中央付近にその下面を開口する反射防止穴を設けたので、光りは反射防止穴を通してパイプ部材の内部に吸収され、発光部と受光部の中間付近で反射しないため、遮光シートの変形位置に拘わらず、光電スイッチの感度を一定に確保できる。
【００２４】
第２の発明によれば、迫りの下面にその縁部をストレートに延びる矩形断面のパイプ材を配設し、その両サイドに柔軟な遮光シートの両側縁を接着してパイプ部材を挟んで断面Ｕ字形に垂れるシート部分でトンネルを形成し、迫りの縁部に沿うパイプ材の中央付近にその下面からゴムなど柔軟な遮光シートでトンネル断面の一部分を遮断するように垂れる反射阻止板を形成したので、反射阻止板が発光部から拡散してパイプ部材て反射する光りの受光を遮断するため、遮光シートの変形位置に拘わらず、光電スイッチの感度を一定に確保できる。また、反射阻止板はゴムなど柔軟な遮光シートで作られるので、物への当たりのやさしさを良好に保てる。
【図面の簡単な説明】
【図１】この発明の実施形態を表す斜視図である。
【図２】そのＡ方向断面図である。
【図３】別の実施形態を表す断面図である。
【図４】従来例を説明する断面図である。
【符号の説明】
１０  迫り
１１  ゴムシート
１２  スチールパイプ
１３  トンネル
１４  光電スイッチ
１４ａ  発光部
１４ｂ  受光部
１５  ステイ
１６  反射防止穴
１８  反射阻止板
【図１】
0003751070.tif 000002
【図２】
0003751070.tif 000003
【図３】
0003751070.tif 000004
【図４】
0003751070.tif 000005